(57)【特許請求の範囲】
【請求項１】
属性情報を記憶する属性情報記憶手段と、
外部センタから属性情報を含んだ位置測位要求を受信する受信手段と、
前記受信手段により受信された位置測位要求と前記属性情報記憶手段に記憶されている属性情報とに基づいて、位置測位の要否を判断する判断手段と、
前記判断手段により位置測位が必要であると判断した場合に、位置測位を行う測位手段と、
前記測位手段により測位された位置情報を通知する通知手段と、
を備え、
前記属性情報記憶手段に記憶されている属性情報は、勤務中またはショッピング中を含むユーザの行動状況を示す情報を含む、移動機。
【請求項２】
位置測位する時間帯または位置測位エリアを記憶する測位エリア記憶手段をさらに備え、
前記判断手段により、前記測位エリア記憶手段に記憶されている測位エリアに在圏する、または現時刻は前記測位エリア記憶手段に記憶されている時間帯に含まれていると判断されることを条件に、前記測位手段は、位置測位を行うことを特徴とする請求項１に記載の移動機。
【請求項３】
前記属性情報記憶手段に記憶されている属性情報は、ユーザ属性を表したユーザ属性情報を含むことを特徴とする請求項１または２に記載の移動機。
【請求項４】
前記属性情報記憶手段に記憶されている属性情報は、ユーザが端末に対する使用状況を表した使用状況情報を含むことを特徴とする請求項１から３のいずれか一項に記載の移動機。
【請求項５】
ユーザの行動に基づいて当該ユーザの属性情報を生成する属性情報生成手段をさらに備え、
前記属性情報生成手段により生成された属性情報は、前記属性情報記憶手段に記憶されることを特徴とする請求項１から４のいずれか一項に記載の移動機。
【請求項６】
前記属性情報生成手段は、ユーザの所定時刻における位置に基づいて、ユーザの属性情報を生成することを特徴とする請求項５に記載の移動機。
【請求項７】
前記属性情報生成手段は、ユーザの滞在する時間およびその滞在している位置に基づいて、ユーザの属性情報を生成することを特徴とする請求項５に記載の移動機。
【請求項８】
請求項１から７のいずれか一項に記載の移動機と、
前記移動機から送信された位置情報を記憶する位置情報記憶装置と
を備える通信システム。
【請求項９】
請求項１から７のいずれか一項に記載の移動機と、
ユーザの行動に基づいて当該ユーザの属性情報を生成する属性情報生成サーバと、を備える通信システムにおいて、
前記属性情報生成サーバにより生成された属性情報は前記属性情報記憶手段に記憶されることを特徴とする通信システム。
【請求項１０】
前記属性情報生成サーバは、ユーザの所定時刻における位置に基づいて、ユーザの属性情報を生成することを特徴とする請求項９に記載の通信システム。
【請求項１１】
前記属性情報生成サーバは、ユーザの滞在する時間およびその滞在している位置に基づいて、ユーザの属性情報を生成することを特徴とする請求項９に記載の通信システム。
【請求項１２】
外部センタと通信接続可能な移動機の通信方法において、
前記外部センタから属性情報を含んだ位置測位要求を受信する受信ステップと、
前記受信ステップにより受信された位置測位要求と属性情報記憶手段に記憶されている、勤務中またはショッピング中を含むユーザの行動状況を示す情報を含んだ属性情報とに基づいて、位置測位の要否を判断する判断ステップと、
前記判断ステップにより位置測位が必要であると判断した場合に、位置測位を行う測位ステップと、
前記測位ステップにより測位された位置情報を通知する通知ステップと、
を備える通信方法。
【発明の詳細な説明】
【技術分野】
【０００１】
本発明は、位置情報の測位を行う移動機、通信システムおよび通信方法に関する。
【背景技術】
【０００２】
位置情報を収集する方法として、３ＧＰＰに規定されており、例えば、外部サーバからの各移動機の位置情報の収集要求を、キャリア事業者の管理サーバが受けると、その要求に従って、交換機（例えば、ＭＭＳ（Mobile Multimedia Switching System）／ｘＧＳＮ（serving /gateway General packet radio service Support Node）、およびＲＮＣ（Remote Network Controller）に対して、各移動機の位置情報を収集するよう指示を出力し、各ノード、コントローラは位置情報収集のための処理を実行する。この処理内容は３ＧＰＰ（3rdGeneration Partnership Project）にてＭＴ−ＬＲ（Mobile Terminated-. Location Request：移動着信位置要求）方式として規定されているものであり、例えば非特許文献１（３ＧＰＰ（3RDGeneration Partnership Project）ＴＳ２３．２７１）に記載されている。
【先行技術文献】
【非特許文献】
【０００３】
【非特許文献１】３ＧＰＰ（3RD Generation Partnership Project） ＴＳ２３．２７１
【発明の概要】
【発明が解決しようとする課題】
【０００４】
しかしながら、非特許文献１に記載の技術においては、指定した全ての移動機に対する位置測位の要求を行うことになり、任意の一部のユーザの位置情報を収集することが困難であった。すなわち、それぞれのユーザを指定して位置情報の要求処理を行うことになり、位置情報の収集側ではその手間がかかるものであった。【０００５】
そこで、本発明は、効率的に任意のユーザの位置情報を収集することのできる移動機、通信システムおよび通信方法を提供することを目的とする。
【課題を解決するための手段】
【０００６】
上述の課題を解決するために本発明の移動機は、属性情報を記憶する属性情報記憶手段と、外部センタから属性情報を含んだ位置測位要求を受信する受信手段と、前記受信手段により受信された位置測位要求と前記属性情報記憶手段に記憶されている属性情報とに基づいて、位置測位の要否を判断する判断手段と、前記判断手段により位置測位が必要であると判断した場合に、位置測位を行う測位手段と、前記測位手段により測位された位置情報を通知する通知手段と、を備え、前記属性情報記憶手段に記憶されている属性情報は、勤務中またはショッピング中を含むユーザの行動状況を示す情報を含む。
【０００７】
また、本発明の通信方法は、外部センタから属性情報を含んだ位置測位要求を受信する受信ステップと、前記受信ステップにより受信された位置測位要求と属性情報記憶手段に記憶されている、勤務中またはショッピング中を含むユーザの行動状況を示す情報を含む属性情報とに基づいて、位置測位の要否を判断する判断ステップと、前記判断ステップにより位置測位が必要であると判断した場合に、位置測位を行う測位ステップと、前記測位ステップにより測位された位置情報を通知する通知ステップと、を備えている。
【０００８】
この発明によれば、外部センタから属性情報を含んだ位置測位要求を受信し、受信された位置測位要求と予め記憶されているユーザの行動状況を示す情報を含む属性情報とに基づいて、位置測位の要否を判断する。そして、位置測位が必要であると判断した場合に、位置測位を行い、測位された位置情報を通知する。これにより、管理センタ側で所望した属性に合致した移動機の位置情報を収集することができ、この位置情報に従ったきめ細かなサービス等を提供することが可能となる。例えば、ユーザの行動状況として、勤務中とした場合、その属性に合致した移動機の移動履歴等を把握することができる。よって、このような移動履歴を用いた店舗開発等を容易にさせることができる。
【０００９】
また、本発明の移動機は、位置測位する時間帯または位置測位エリアを記憶する測位エリア記憶手段をさらに備え、前記判断手段により、前記測位エリア記憶手段に記憶されている測位エリアに在圏する、または現時刻は前記測位エリア記憶手段に記憶されている時間帯に含まれていると判断されることを条件に、前記測位手段は、位置測位を行うことが好ましい。【００１０】
この発明によれば、記憶されている測位エリアにいる、または時間帯に含まれていると判断されることを条件に位置測位を行うことで、細かな解析を行うための位置情報の収集を行うことができる。例えば、属性情報が男性で、所定の測位エリアにいる人数等を簡単に把握することができる。【００１１】
また、本発明の移動機において、前記属性情報記憶手段に記憶されている属性情報は、ユーザ属性を表したユーザ属性情報を含むことが好ましい。【００１２】
この発明によれば、属性情報として、ユーザ属性を表した情報とすることで、ユーザ属性に着目した位置情報の収集を効率的に行うことができる。例えば、性別に応じた位置情報を収集することができる。【００１５】
また、本発明の移動機において、前記属性情報記憶手段に記憶されている属性情報は、ユーザが端末に対する使用状況を表した使用状況情報を含むことが好ましい。【００１６】
この発明によれば、属性情報として、ユーザが端末に対する使用状況を表した使用状況情報とすることで、ユーザの端末の使用状況に着目した位置情報の収集を効率的に行うことができる。例えば、所定のアプリケーションを利用するユーザの位置情報を収集することができる。【００１７】
また、本発明の通信システムは、上記移動機と、前記移動機から送信された位置情報を記憶する位置情報記憶装置とを備えている。【００１８】
これにより、移動機における位置情報を把握することができ、把握した位置情報に対する統計処理等を行うことができ、統計処理されたデータを外部に提供することができる。
【発明の効果】
【００１９】
本発明によれば、管理センタ側で所望した属性に合致した移動機の位置情報を収集することができ、この位置情報に従ったきめ細かなサービス等を提供することが可能となる。例えば、ユーザの行動状況として勤務中とした場合、その行動状況に合致した移動機の移動履歴等を把握することができる。よって、このような移動履歴を用いた店舗開発等を容易にさせることができる。
【図面の簡単な説明】
【００２０】
【図１】本実施形態の移動機１００を用いた通信システム１０のシステム構成図である。
【図２】移動機１００の機能を示すブロック図である。
【図３】属性情報記憶部１０２が記憶する属性情報を示す説明図である。
【図４】移動機１００と管理センタ５００との位置測位通知処理を示すシーケンス図である。
【図５】住所を示す属性情報を生成するときの属性情報生成部１０６の処理を示すフローチャートである。
【図６】行動エリアサイズを示す属性情報を生成するときの属性情報生成部１０６の処理を示すフローチャートである。
【図７】位置を示す属性情報を生成するときの属性情報生成部１０６の処理を示すフローチャートである。
【図８】職業を示す属性情報を生成するときの属性情報生成部１０６の処理を示すフローチャートである。
【図９】移動状態の属性情報を生成するときの属性情報生成部１０６の処理を示すフローチャートである。
【図１０】本実施形態の変形例における移動機１００を用いた通信システム１０のシステム構成図である。
【符号の説明】
【００２１】
１０…通信システム、１００…移動機、１０１…通信部、１０２…属性情報記憶部、１０３…測位エリア記憶部、１０４…判断部、１０５…測位部、１０６…属性情報生成部、２００…基地局、４００…交換機、５００…管理センタ、５０１…社会センサユニット、５０２…ペタマイニングユニット、５０３…モバイルデモグラフィユニット、５０４…可視化ソリューションユニット、６００…属性情報生成サーバ。
【発明を実施するための形態】
【００２２】
添付図面を参照しながら本発明の実施形態を説明する。可能な場合には、同一の部分には同一の符号を付して、重複する説明を省略する。
【００２３】
図１は、本実施形態の移動機１００を用いた通信システム１０のシステム構成図である。図１に示すように、この通信システム１０は、移動機１００、ＢＴＳ（基地局）２００、ＲＮＣ（無線制御装置）３００、交換機４００、および管理センタ５００を含んで構成されている。また、この管理センタ５００は、社会センサユニット５０１、ペタマイニングユニット５０２、モバイルデモグラフィユニット５０３、および可視化ソリューションユニット５０４から構成されている。
【００２４】
管理センタ５００は、交換機４００、ＢＴＳ２００、ＲＮＣ３００を介して、移動機１００の位置情報を収集することに先立って、移動機１００に対して位置情報の収集対象を指定する属性指定情報を送信する。移動機１００は、属性指定情報を受信すると、移動機１００において記憶されている属性情報との一致を判断し、一致していた場合には、位置測位を実行する。
【００２５】
また、管理センタ５００は、上述したとおり、社会センサユニット５０１、ペタマイニングユニット５０２、モバイルデモグラフィユニット５０３、および可視化ソリューションユニット５０４を含んで構成されており、各ユニットの少なくともひとつにおいて、位置情報記憶装置として移動機１００の位置情報を記憶し、この位置情報を用いた統計処理を行う。さらに、管理センタ５００は、交換機４００、ＢＴＳ２００、ＲＮＣ３００を介して、移動機１００の位置情報を収集することに先立って、移動機１００に対してCell ＩＤ（以下、セルＩＤとする）および位置測位実施時刻情報を含む位置測位管理情報を送信するようにしてもよい。その場合、移動機１００は、セルＩＤおよび位置測位実施時刻情報を受信すると、当該セルＩＤおよび位置測位実施時刻情報を記憶しておき、位置測位実行の判断に利用することができる。例えば、移動機１００は、属性指定情報と属性情報とが一致した場合に加え、位置測位実施時刻情報で定められた時間帯に、当該セルＩＤで示される基地局の圏内に入った場合、位置測位を実行する。
【００２６】
社会センサユニット５０１は、各交換機４００から移動機１００の位置情報等を含んだデータを収集するサーバ装置である。この社会センサユニット５０１は、交換機４００から定期的に出力されたデータを受信したり、または社会センサユニット５０１において予め定められたタイミングに従って交換機４００からデータを取得したりできるように構成されている。
【００２７】
ペタマイニングユニット５０２は、社会センサユニット５０１から受信したデータを所定のデータ形式に変換するサーバ装置である。例えば、ペタマイニングユニット５０２は、ユーザＩＤをキーにソーティング処理を行ったり、エリアごとにソーティング処理を行ったりする。
【００２８】
モバイルデモグラフィユニット５０３は、ペタマイニングユニット５０２において処理されたデータに対する集計処理、すなわち各項目のカウンティング処理を行うサーバ装置である。例えば、モバイルデモグラフィユニット５０３は、あるエリアに在圏するユーザ数をカウントしたり、また在圏分布を集計したりすることができる。
【００２９】
可視化ソリューションユニット５０４は、モバイルデモグラフィユニット５０３において集計処理されたデータを可視可能に処理するサーバ装置である。例えば、可視化ソリューションユニット５０４は、集計されたデータを地図上にマッピング処理することができる。この可視化ソリューションユニット５０４にて処理されたデータは、企業、官公庁または個人等に提供され、店舗開発、道路交通調査、災害対策、環境対策などに利用される。なお、このように統計処理された情報は、当然にプライバシーを侵害しないように個人等は特定されないように加工されている。
【００３０】
なお、上述の社会センサユニット５０１、ペタマイニングユニット５０２、モバイルデモグラフィユニット５０３、および可視化ソリューションユニット５０４のいずれかをオペレータが操作して、収集対象となる移動機１００の属性情報が指定された属性指定情報を移動機１００に送信することができる。移動機１００では、この属性指定情報にしたがって、後述するとおり収集対象となる端末であるかを判断することができる。
【００３１】
また、上述図１の説明においては、３ＧＰＰにより規定された移動体通信網を想定した説明であったが、本実施形態においては、３ＧＰＰにより規定された移動体通信網に限定するものではなく、ＰＨＳ（Personal Handy phone System）、WiFi（通信規格であるIEEE 802.11シリーズ（IEEE 802.11a/IEEE 802.11b））、Wimax（Worldwide Interoperability for Microwave Access）を利用したものでもよい。例えば、WiFiを利用した形態では、基地局の代わりに、アクセスポイントが存在し、アクセスポイントからのビーコン信号（移動体通信網における報知信号に相当）を利用して各端末の位置情報の収集を行うことができる。
【００３２】
つぎに、移動機１００について説明する。図２は、移動機１００の機能を示すブロック図である。この移動機１００は、通信部１０１（受信手段、通知手段）、属性情報記憶部１０２（属性情報記憶手段）、測位エリア記憶部１０３（記憶手段）、判断部１０４（判断手段）、測位部１０５（測位手段）、および属性情報生成部１０６（属性情報生成手段）を含んで構成されている。この移動機１００は、ＣＰＵ、ＲＡＭ、ＲＯＭ、無線通信モジュール、および位置測位モジュール等から構成されているものであり、ＲＯＭに記憶されているプログラムにしたがって、ＣＰＵ、無線通信モジュール、および位置測位モジュール等は動作する。
【００３３】
通信部１０１は、他の通信端末と通信する部分であって、さらに本実施形態においては、管理センタ５００から指定された属性指定情報を受信する部分である。この通信部１０１は、ＨＴＴＰ通信プロトコルを用いて属性指定情報を受信してもよいし、ＣＢＣ（Cell Broadcast Center）から送信されるＣＢＳ（Cell Broadcast Service）メッセージを受信するようにしてもよい。また、通信部１０１は、測位部１０５においてこの属性指定情報にしたがって位置測位が行われた場合には、測位された位置情報を管理センタ５００に送信する部分である。なお、送信先として管理センタ５００は予め設定されていてもよいし、また属性指定情報に記述された宛先情報を記憶しておきその宛先情報を用いてもよい。
【００３４】
属性情報記憶部１０２は、ユーザ属性、ユーザの行動範囲または移動機１００の使用状況を示す属性情報を記憶する部分である。図３は、属性情報記憶部１０２が記憶する属性情報を示す説明図である。図３に示すように、この属性情報には、ユーザ属性を示す性別、年齢、住所、および職業を含んだユーザ属性情報、現在の状況を示す現在位置情報、ユーザの行動状況、ユーザの移動の状態を示す移動状態（高速移動中、低速移動中など）およびユーザの行動範囲を示す行動エリアサイズを含んだ行動状況情報、およびユーザの移動機１００に対する各機能（電子メール、Ｗｅｂ閲覧、電子マネー機能など）に対する使用状況を示す使用状況情報（例えば、Ａサービスの使用状況）が含まれている。
【００３５】
測位エリア記憶部１０３は、位置測位を行うエリアを定めたセルを示すセルＩＤおよびその時間帯を記憶する部分である。時間帯は、位置測位開始時刻およびその終了時刻が対応付けて記憶されるようにしてもよい。なお、この測位エリア記憶部１０３に記憶されているセルＩＤと位置測位実施時刻情報（開始時刻および終了時刻を含む）である時間帯情報は、位置測位管理情報として送信されたものである。
【００３６】
判断部１０４は、通信部１０１を介して属性指定情報が受信されると、属性情報記憶部１０２に記憶されている属性情報と属性指定情報で示されている属性情報との一致を判断し、位置測位を実施するか否かを判断する部分である。例えば、判断部１０４は、属性指定情報として“男性”が指定されていた場合には、移動機１００の属性情報記憶部１０２に記憶されている性別欄に基づいて、その属性情報が“男性”であると判断されると、位置測位を行う旨決定する。
【００３７】
さらに、判断部１０４は、測位エリア記憶部１０３に記憶されている測位エリアおよび測位時間帯に基づいて、位置測位の実行の要否を判断するようにしてもよい。すなわち、基地局２００から送信されるセルＩＤに基づいて、測位エリア記憶部１０３に記憶されている位置測位エリアと一致した場合には、測位部１０５は、位置測位を行うことに決定する。また、時間についても同様に定められた時間帯と一致するのであれば、位置測位を行うように決定する。
【００３８】
測位部１０５は、判断部１０４における判断結果にしたがって、位置測位を実行する部分である。例えば、測位部１０５は、ＧＰＳ（Global Positioning System）により位置測位を実行する。
【００３９】
属性情報生成部１０６は、属性情報記憶部１０２に記憶させる属性情報を生成する部分である。この属性情報生成部１０６は、住所、行動エリアサイズ、位置、職業、移動状態などの各属性を示す属性情報を生成する。例えば、属性情報生成部１０６は、周期的に測位部１０５により測位された位置情報にしたがって、所定条件を満たした位置（深夜０時の位置または滞在時間の長い位置）を住所と決定する。同様に、昼の１２時の位置に基づいて職業を学生または会社員などに区別することもできる。
【００４０】
また、属性情報生成部１０６は、周期的に測位部１０５により測位された位置に基づいて行動エリアを抽出し、その最長端点間の距離に基づいて行動範囲の広狭を示す属性情報を生成する。また、通信部１０１により受信しんされた報知信号にしたがってセクタ間の移動を検出し、その移動する際における時間間隔に基づいて算出された移動速度や、測位部１０５により取得されたＧＰＳ情報（または、装置に備えられている歩数計、加速度計を用いて得られた情報でもよい）などにより算出された移動速度に基づいて高速移動・低速移動のいずれの移動状態であるかを判断して、その旨の属性情報を生成する。属性情報生成部１０６は、このように生成された属性情報を属性情報記憶部１０２に記憶させる。
【００４１】
さらに、属性情報生成部１０６は、通話、電子メールなどの通信機能、電子マネーなどを利用するための非接触ＩＣカードなど各種デバイス、そのほかアプリケーションなどの各種機能の使用頻度を計数し、所定頻度に達した通信機能、各種デバイス、アプリケーションについては、その旨と対応付けて属性情報記憶部１０２に記憶させる。例えば、所定回数アプリケーションを起動した場合には、そのアプリケーションにより提供されるサービスの使用状況は高頻度である旨を対応付けて属性情報記憶部１０２に記憶させる。
【００４２】
このように移動機１００は属性情報記憶部１０２および測位エリア記憶部１０３に記憶されている位置測位管理テーブルにしたがって、効率的に位置測位処理を実行することができる。
【００４３】
つぎに、本実施形態の通信システム１０の動作について説明する。図４は、移動機１００と管理センタ５００との位置測位通知処理を示すシーケンス図である。まず、管理センタ５００において設定された属性指定情報が移動機１００に送信される（Ｓ１０１）。移動機１００では、通信部１０１により属性指定情報が受信され、この属性指定情報にて指定された属性情報に基づいて判断部１０４により位置測位の要否の判断が行われる（Ｓ１０２）。すなわち、判断部１０４により、属性指定情報で指定された属性が属性情報記憶部１０２に記憶されている属性情報で示す属性と一致している場合には、位置測位を必要であると判断される。そして、測位部１０５により位置測位が行われ（Ｓ１０３）、測位された位置情報は、通信部１０１により管理センタ５００に送信される（Ｓ１０４）。なお、Ｓ１０３においては、属性情報の判断に加えて、さらに報知情報に含まれているセルＩＤおよび位置測位実施時刻情報に基づいて、そのセルＩＤが予め登録されたものと一致しており、また位置測位実施時刻情報に合致した時間帯である場合には、位置測位が必要であると判断され、そうではない場合には、属性情報が一致していたとしても、位置測位を実施しないようにすることもできる。
【００４４】
つぎに、属性情報の生成について説明する。図５から図９は、属性情報生成部１０６が属性情報を生成するときの処理を示すフローチャートである。それぞれ住所、行動エリアサイズ、職業、および移動状態を示した属性情報の生成方法を示している。以下、順に説明する。
【００４５】
図５は、住所を示す属性情報を生成するときの属性情報生成部１０６の処理を示すフローチャートであり、図５（ａ）は、所定時刻に基づいて決定するときの処理であり、図５（ｂ）は、滞在時間に基づいて決定するときの処理である。
【００４６】
まず、図５（ａ）について説明する。測位部１０５により周期的に取得された移動機１００の位置を示す位置情報を用いて毎日の行動エリアが属性情報生成部１０６により抽出される（Ｓ２０１）。そして、例えば深夜０時に測位部１０５により取得された位置を、移動機１００のユーザの住所として、属性情報記憶部１０２に設定され、そして記憶される（Ｓ２０２）。これにより、自動的に住所を示す属性情報を生成することができる。
【００４７】
つぎに図５（ｂ）について説明する。測位部１０５により周期的に取得された移動機１００の位置を示す位置情報を用いて毎日の行動エリアが属性情報生成部１０６により抽出される（Ｓ２０１）。そして、その行動エリアの中で、所定時間単位（例えば、１日）で一番滞在していた位置を住所として、属性情報記憶部１０２に設定され、そして記憶される（Ｓ２０２ａ）。これにより、自動的に住所を示す属性情報を生成することができる。
【００４８】
つぎに、行動エリアサイズを示す属性情報の生成について説明する。図６は、行動エリアサイズを示す属性情報を生成するときの属性情報生成部１０６の処理を示すフローチャートである。
【００４９】
まず、測位部１０５により周期的に取得された移動機１００の位置を示す位置情報を用いて毎日の行動エリアが属性情報生成部１０６により抽出される（Ｓ２０１）。そして、その行動エリアにおいて最長端点間の距離が任意の閾値Ｘより大きいか否かが属性情報生成部１０６により判断される（Ｓ２０３）。ここで大きい（Ｓ２０３：ＹＥＳ）と判断されると、行動エリアサイズを示す属性情報は広範囲として設定され、属性情報記憶部１０２に記憶される（Ｓ２０４）。また、小さい（Ｓ２０３：ＮＯ）と判断されると、行動エリアサイズを示す属性情報は狭範囲として設定され、属性情報記憶部１０２に記憶される（Ｓ２０５）。これにより、行動エリアサイズを判断して、自動的に属性情報として設定することができる。
【００５０】
つぎに、位置を示す属性情報の生成について説明する。図７は、位置を示す属性情報を生成するときの属性情報生成部１０６の処理を示すフローチャートである。測位部１０５により周期的に取得された移動機１００の位置を示す位置情報を用いて毎日の行動エリアが属性情報生成部１０６により抽出される（Ｓ２０１）。そして、取得されたばかりの現在位置を示す位置情報が属性情報として設定され、属性情報記憶部１０２に記憶される（Ｓ２０６）。
【００５１】
つぎに、職業を示す属性情報の生成について説明する。図８は、職業を示す属性情報を生成するときの属性情報生成部１０６の処理を示すフローチャートである。図８に示されるように、測位部１０５により周期的に取得された移動機１００の位置を示す位置情報を用いて毎日の行動エリアが属性情報生成部１０６により抽出される（Ｓ２０１）。そして、属性情報生成部１０６により所定時刻における移動機１００の位置が抽出される。例えば、昼の０時の位置情報が抽出される（Ｓ２０７）。
【００５２】
そして、この位置情報で示される位置に学校が位置しているか、会社が位置しているか、そのいずれでもないかが、属性情報生成部１０６により判断される（Ｓ２０８、Ｓ２１０）。この判断処理としては、インターネットで配信可能な地図情報などにアクセスし、その位置情報（座標情報）に基づいて学校があるのか、会社があるのかを判断することにより実行可能とさせる。
【００５３】
ここで、学校があるとＳ２０８において判断されると、職業として学生が属性情報として設定され、属性情報記憶部１０２に記憶される（Ｓ２０９）。また、会社があるとＳ２１０において判断されると、職業として会社員が属性情報として設定され、属性情報記憶部１０２に記憶される（Ｓ２１０）。また、そのいずれでもないと判断された場合には、職業としてその他が属性情報として設定され、属性情報記憶部１０２に記憶される（Ｓ２１２）。
【００５４】
つぎに、移動状態を示す属性情報の生成について説明する。図９は、移動状態の属性情報を生成するときの属性情報生成部１０６の処理を示すフローチャートである。図９（ａ）は、セクタ間の移動時間に基づいて移動速度を算出する処理を示すフローチャートであり、図９（ｂ）は、歩数計などを用いて移動速度を算出する処理を示すフローチャートである。
【００５５】
通信部１０１により基地局から配信される報知信号が受信され、属性情報生成部１０６によりセクタ間の移動が検出される（Ｓ３０１）。例えば、ここでは報知信号に含まれているセルＩＤに基づいてセクタを跨いだ移動が行われたかを判断することができる。なお、セクタ間の移動が検出されると、その移動時刻はバッファ等の図示しない記憶部に記憶される。
【００５６】
そして、属性情報生成部１０６により、前回のセクタ移動の検出時刻と現在の時刻とにより、セクタ間移動の時間間隔が抽出される（Ｓ３０２）。この時間間隔が所定時間（例えば時間Ｘ１）より小さいか否かが、属性情報生成部１０６により判断される（Ｓ３０３）。ここで、所定時間より小さい（Ｓ３０３：ＹＥＳ）と判断されると、移動状態の属性情報は高速移動中である旨の設定がなされ、属性情報として属性情報記憶部１０２に記憶される（Ｓ３０４）。また、所定時間より大きい（Ｓ３０３：ＮＯ）であると判断されると、移動状態の属性情報は低速移動中である旨の設定がなされ、属性情報として属性情報記憶部１０２に記憶される（Ｓ３０５）。このようにして、移動状態の属性情報が設定され記憶される。
【００５７】
つぎに、図９（ｂ）の説明をする。歩数計、加速度計、またはＧＰＳ情報等により移動速度が検出される（Ｓ４０１）。なお、ここでは歩数計、加速度計、またはＧＰＳ受信機などの各種デバイスに基づいて移動速度は、属性情報生成部１０６により生成され、この属性情報生成部１０６は速度計算部としての機能を備えている。
【００５８】
そして、移動速度が所定速度（例えば閾値Ｘ２）より速いか否かが、属性情報生成部１０６により判断される（Ｓ４０２）。ここで、速いと（Ｓ４０２：ＹＥＳ）判断されると、移動状態の属性情報は高速移動中である旨の設定がなされ、属性情報として属性情報記憶部１０２に記憶される（Ｓ４０３）。また、遅い（Ｓ４０２：ＮＯ）と判断されると、移動状態の属性情報は低速移動中である旨の設定がなされ、属性情報として属性情報記憶部１０２に記憶される（Ｓ４０４）。このようにして移動状態の属性情報が設定され記憶される。
【００５９】
上述図５から図９において示される属性情報は、移動機１００における属性情報生成部１０６において生成されたものであるが、移動機１００において生成されることに限定するものではない。例えば、移動機１００において毎日の行動エリアを抽出しておき、移動機１００は、抽出した行動エリアを属性情報生成サーバ（図示せず）に送信し、属性情報生成サーバは、移動機１００において抽出された行動エリアに基づいて、移動機１００の属性情報を、生成するようにしてもよい。
【００６０】
図１０に、その具体的なシステム構成を示す。図１０に示されるように、図１に示されたシステム構成にさらに属性情報生成サーバ６００が備えられている。この属性情報生成サーバ６００は、具体的には、図５から図９で示される処理と同様の生成処理を行うことにより、属性情報を生成するものである。生成した属性情報は、移動機１００に返信され、属性情報記憶部１０２に記憶される。なお、属性情報を生成する際には、図５から図９における処理に限定するものではなく、端末の操作履歴を受信し、この操作履歴に基づいて、図３におけるサービス利用状況等の属性情報を生成することも考えられる。この属性情報生成サーバ６００は、図１０に示されるとおり外部サーバとして存在していてもよいが、管理センタ５００内に配置されてもよい。
【００６１】
つぎに、本実施形態の移動機１００の作用効果について説明する。本実施形態の移動機１００において、通信部１０１は、管理センタ５００から属性指定情報を含んだ位置測位要求を受信し、判断部１０４は、受信された位置測位要求の属性指定情報と予め記憶されている属性情報とに基づいて、位置測位の要否を判断する。そして、判断部１０４は位置測位が必要であると判断した場合に、測位部１０５は位置測位を行い、測位された位置情報を管理センタ５００に通知する。これにより、管理センタ５００側で所望した属性に合致した移動機の位置情報を収集することができ、この位置情報に従ったきめ細かなサービス等を提供することが可能となる。例えば、属性情報として、２０代、男性を属性指定情報とした場合、その属性に合致した移動機の移動履歴等を把握することができる。よって、このような移動履歴を用いた店舗開発等を容易にさせることができる。なお、通知先としては、管理センタ５００に限るものではない。また、位置測位要求の発信元と、これに応じて位置測位結果の送信先は必ずしも一致させる必要はない。
【００６２】
また、移動機１００において、測位エリア記憶部１０３に記憶されている測位エリアにいる、または現時刻が、当該測位エリア記憶部１０３に記憶されている時間帯であると、判断部１０４により判断されることを条件に測位部１０５は位置測位を行うことで、細かな解析を行うための位置情報の収集を行うことができる。例えば、属性情報が男性で、所定の測位エリア（または所定時刻）にいる人数等を簡単に把握することができる。
【００６３】
また、移動機１００において、属性情報記憶部１０２に記憶される属性情報として、ユーザ属性を表した情報とすることで、ユーザ属性に着目した位置情報の収集を効率的に行うことができる。例えば、性別に応じた位置情報を収集することができる。
【００６４】
また、移動機１００において、属性情報記憶部１０２に記憶される属性情報として、ユーザの行動を表した行動状況情報とすることで、ユーザの行動状況に着目した位置情報の収集を効率的に行うことができる。例えば、車などを用いて高速移動をするユーザの位置情報を収集することができる。
【００６５】
また、移動機１００において、属性情報記憶部１０２に記憶される属性情報として、ユーザが端末に対する使用状況を表した使用状況情報とすることで、ユーザの端末の使用状況に着目した位置情報の収集を効率的に行うことができる。例えば、所定のアプリケーションを利用するユーザの位置情報を収集することができる。
【図１】
0005567001.tif 000002
【図２】
0005567001.tif 000003
【図３】
0005567001.tif 000004
【図４】
0005567001.tif 000005
【図５】
0005567001.tif 000006
【図６】
0005567001.tif 000007
【図７】
0005567001.tif 000008
【図８】
0005567001.tif 000009
【図９】
0005567001.tif 000010
【図１０】
0005567001.tif 000011